(57)【要約】【課題】軽重量物の下に二本の爪を挿し込むことで、梃子座を支点にして軽重量の持ち上げ、方向転換、取付けたローラにより移動または爪により地中物の掘り出しその除去を容易にする。【解決手段】二本の爪１の上面には内側に傾斜する平面を設け、爪１の後方根元部に梃子座３を設け補強して爪先をやや上方に反らしてあると共に梃子座３近くであって、爪１の根元部にローラ１５を取り付け、爪の根元部１２ａに取っ手４を取り付けたことを特徴とする軽重量物移動用具。【選択図】図１
0003122959.tif 000002
【実用新案登録請求の範囲】
【請求項１】
梃子座を二本の爪に設けて爪を補強し、梃子座で両爪を連結すると共に両爪に移動用ローラを設け、爪の根元部に取っ手を設けてあることを特徴とする軽重量物移動用具。
【請求項２】
二本の爪に設けた移動用ローラは、取っ手を押さえて梃子座を接地させるようにするときはローラが浮き上がって爪が力点となり、更に取っ手を押さえてローラを接地させるようにするときは梃子座が浮き上がりローラで移動できる関係にすることを特徴とする請求項１に記載の軽重量物移動用具。
【請求項３】
二本の爪に設けたローラ及び梃子座は着脱可能に取り付けられることを特徴とする請求項１又はに記載の軽重量物移動用具。
【請求項４】
二本の爪の根元部に挟まれた取付枠を設けて、取付け枠に取っ手を設けてあることを特徴とする請求項１に記載の軽重量物移動用具。
【請求項５】
二本の爪の根元部に挟まれた２個の取付枠を設けて、それぞれの取付け枠に取っ手を設けてあることを特徴とする請求項４に記載の軽重量物移動用具。
【考案の詳細な説明】
【技術分野】
【０００１】
本考案は、軽重量物の移動、持ち上げ、方向転換、地中に埋設された石や雑草木の根、茎を掘り出し除去することが容易な軽重量物移動用具に関するものである。
【背景技術】
【０００２】
軽重量物の移動、持ち上げ、方向転換、雑草、根茎、土砂の掘り出し除去作業は、労力が要る。その作業は腰痛の原因と成るほどである。土砂、雑草の掘り出し除去の道具として、例えば特許文献１〜１０に記載されたような機械器具はそれを利用して過重な労力を軽減できる利点があるので作業用器具として実用に共されている。
土砂、雑草、根茎を除去するなどの目的で使用されているものとしては、スコップ、雑草除去具の例のように、取っ手を有しているのみで実用上十分であった。
【０００３】
しかし、地中に埋まった石、深く入った根茎を掘り出し、或いは、重量物の持ち上げ、方向転換、移動の目的などに使用するときには梃子座や移動用にローラを有するものが望まれ、前記の従来の取っ手を有する道具では重量物の持ち上げ、方向転換、移動機能等を十分に発揮できない。軽重量物を地中から掘り出したり、運んだり、持ち上げたりの作業をする場合には、二本の爪を有し、取っ手を付け、爪及び取っ手を強くして、地中に挿し込み易い形態を実現し且つ取っ手の折れを生じにくくするため、爪に取付けた取っ手は十分に強く確保して、移動に際して取っ手を持って左右のバランスをとれるものにする必要がある。軽重量物の持ち上げ、回転、運搬、根茎等地中物を掘り出したり、除去したり、重量物を持ち上げてその下に枕木を敷き入れるための道具としては、従来の取っ手を有するスコップ等は十分な機能を有するとは言えず、作業者の腰に掛かる負担が大きくなる欠点がある。
【０００４】
雑草木の根、茎、石を掘り出したり、軽重量物を移動、方向転換、持ち上げたり、除去する用途において、この欠点は作業性に関して大きな障害である。具体的には、スコップのような取っ手があるだけでは、地中深く入った石を除去仕切れなかったり、除去作業により切られた根茎が地中に残ったり、あるいは、移動したり持ち上げたりするなどの場合に腰に掛かる大きな負担を十分に軽減する機能はないという問題があった。
【０００５】
この改善策として、特許文献１〜１０に公開されている、雑草、茎、土砂を除去、掘削するための器具に関するものがある。
【特許文献１】特開２００５−１５５１９８号公報
【特許文献２】特開２００４−１７３６６５号公報
【特許文献３】特開２００４−１０８０２１号公報
【特許文献４】特開２００４−１５４１１１号公報
【特許文献５】特開平０８−０８５９６９号公報
【特許文献６】実開平０６−０７９２０１号公報
【特許文献７】特開平０７−０１４８９４号公報
【特許文献８】特開平０６−０７２３０２号公報
【特許文献９】特開平０６−０００００１号公報
【特許文献１０】実用新案登録第３１１５１３１号公報
【考案の開示】
【考案が解決しようとする課題】
【０００６】
解決しようとする問題点は、土中の物体を長い二本の爪で掘り起こしたり、重量が大きい物体を抱えて移動させることは、腰にかかる負担を増加し障害原因となるので、掘り起こしや移動や持ち上げすることが困難な重量物を爪と梃子座とローラを活用して、移動したり、重量物を回転してその方向を変えたり、物体の下に二本の爪を挿し込み持ち上げて枕木などを挿し込むことなどを容易にすることができる道具を提供しようとするものである。 
【課題を解決するための手段】
【０００７】
本考案は、長い二本の爪と、長い取っ手と、取っ手の根元部に爪の補強を兼ねた梃子座と、爪にはローラを取り付けて構成されることを最も主要な特徴とする。
【考案の効果】
【０００８】
本考案は、二本の爪を強く連結することと梃子の機能を向上させる梃子座を根元部に設け、爪先を地中へ挿し込むときの足掛けの機能を有し、地中物を掘り出すことも容易にできる。爪の根元には梃子座とローラを設けてあると共に根元部に実施例に示している丈夫な取っ手を設けて、一人では抱えることができない軽重量物の持ち上げや方向転換及び移動にも楽々利用できるという利点がある。
【考案を実施するための最良の形態】
【０００９】
長い二本の爪は根元部に設けた取っ手を有し、二本の爪に梃子座を設けて連結し二股の爪になっており、爪の根元部に設けた梃子座とローラで効率よく、軽重量物の持ち上げたり、そのまま方向転換したり、置き場所を移動し除去したり、地中物を掘り出したりするという目的のために使用される道具を爪の強度を損なわずに実現した。
【実施例１】
【００１０】
図１〜２は、本考案装置の実施例１の平面図、正面図である。また、図５は、本考案装置の実施例１〜３に共通の梃子座のＡ−Ａ線断面図である。１は    爪、  ２は滑り止め、  ３は梃子座、  ４は取っ手、  ５ａ，５ｂは取っ手の部材（実施例１，２，３共通である。）、  ６は補強板（実施例１，２，３共通である。）、７は取っての止めねじ、  ８は握り手、１２ａ，１２ｂは爪の根元部、１３は爪先、１４は取っ手の部材止めボルト、１５は爪の根元部に設けてあるローラである。
【００１１】
図２に示した爪１の根元部１２ａは取っ手４を取り付けるために水平面に対してやや仰角になっている。取っ手の取り付け角度は、水平面に対してやや仰角に取り付けているが、爪に設けた移動用ローラ１５と梃子の支点としての梃子座３の取り付け位置により角度の変更は設計上の理由である。二本の爪１は爪の平面が爪の外側から内側に傾斜しており、爪の平面に滑り止め２を設けている。図５にＡ−Ａ線断面図を示したように、二本の爪１は、その根元部底面に設けた取り付け板に設けた梃子座３で強固に連結され補強されている。梃子座３は、取り付け板に溶接しても良いし、図５に示したようにボルトとナットで着脱自在にしても良い。両爪の平面は内側に傾斜を形成してあることにより、その上に軽重量物を置いても安定になり、容易に転げ落ちない。本考案の主体は、取っ手を持って二股になっている二本の爪１を連結している梃子座３が梃子の支点として機能することと爪の根元部に設けた方向転換及び移動自在なローラの機能にある。即ち、取っ手を持って梃子座３を支点にして爪の上に重量物を載せ両爪で重い物体を持ち上げたり、ローラ１５を中心にして方向転換したり、ローラ１５を転がして移動したりする利用が可能になる効果がある。
【００１２】
図１〜４の各図面を参照して取っ手について説明すれば、両爪の根元部１２ａ，１２ｂには、ボルト７，９で取っ手４を取付ける。取っ手４は、取っ手の部材５ａ，５ｂで補強板６を間に挟み、取っ手の部材止めボルト１４を締結して強化された軸の構造になっている。取っ手の部材５ａ，５ｂ及び補強板６は、実施例１，２，３共通である。爪の根元部に取付ける取っ手４の一端に握り手８を設けて、本考案装置の実施例１，２を使っての作業をしやすくした。
【００１３】
爪１は、物体の保持をよくするために内側にやや傾斜する上面を持ち、その爪の上面には滑り止め２の凸形状（図２符号２）を形成し、爪の先端部１３は少し上向きに反りを有している。爪は、ステンレススチール又は鉄製である。
【００１４】
図１〜４に示した取っ手４は、 本考案装置の大きさにより、一本の軸棒を取り付けた取っ手（実施例１〜２）と、左右に二本の軸棒を取り付けた取っ手（実施例３）のいずれかである。実施例１，２の取っ手は、軽量になる。実施例３の取っ手は、左右に二本の軸棒が在るので左右のバランスが良い。
【００１５】
爪１の根元部１２ａ，１２ｂに取り付けるローラ１５は、実施例１，２，３に共通の方向転換や移動用ローラであって、ローラの取り外しもできるようにする。ローラは、爪の根元部に着脱することもできると共にローラが回転する横軸を有し、更に左右回動する縦軸を有して方向変換も可能な、キャスター、ダブルキャスターであってもよい。取っ手を持って押さえて作用させるようにするときは、梃子座３が接地してローラ１５は浮き上がって爪は力点となり、更にローラを接地させるときは梃子座３が浮き上がってローラで移動できるようにした。
【００１６】
実施例１〜３は重量物の持ち上げのために爪１に補強を兼ねて取り付け板を設け、取り付け板に梃子座３を設けたので爪の強度が維持されて梃子座を支点に重量物の持ち上げが可能である。梃子座３を支点にして、二本の爪による地中物の掘り出しも容易になる。さらに、爪の根元部に取付けたローラ１５を使って軽重量物の方向転換や場所の移動を容易にするなどの効果がある。梃子座３は、爪１に設けた取り付け板に取り付けて着脱可能にする。
【実施例２】
【００１７】
図３は、本考案装置の実施例２の平面図である。１０ｂは取っ手の取付け枠、実施例２の図３に示したその他の符号の説明は、図１〜２（実施例１）に示した符号の説明と同じである。取っ手４については、前記００１２項に説明した。実施例２の図３に示した爪１、梃子座３は、００１１項に記載の実施例１についての爪１、梃子座３の説明と同様である。
図３の実施例２は、爪１の根元部１２ａに止めねじ７で取付けた取り付け枠１０ｂに取っ手４を取付けたものであって、取り付け枠１０ｂは取っ手の取付け状態を丈夫にするものである。
【実施例３】
【００１８】
図４は、本考案装置の実施例３の平面図である。９は取っ手の止めねじ、１０ａは取っ手の取付け枠、１１は取っ手、１２ｂは爪の根元部である。図４でその他の符号の説明は、図１〜２（実施例１）と同様である。図４に示した爪１、梃子座３のそれぞれの説明は、００１１項に記載の実施例１と同様である。
図４の実施例３は、両爪１の根元部に二つ取付けた取付け枠１０ａに左右に分かれた二本の取っ手を取付けた軽重量物移動用具であって、左右の取っ手１１によりバランスの保持が優れており、例えば両爪の上に載せた重量物の持ち上げや移動をするときにバランスをとることが容易である。二本の取っ手は、重量物の掘り出し、方向転換にも大いに役立つものである。
【産業上の利用可能性】
【００１９】
爪の上に軽重量物を載せて持ち上げその下に枕木を入れたり、爪に載せた物を回転して方向を変えたり、その物の置き場所を移動したり、根茎や石などの地中物を掘り出したりするという日常的な生活の中では忘れがちな軽重量物の持ち上げや掘り出しをすることが不可欠な用途にも適用できる。
【図面の簡単な説明】
【００２０】
【図１】軽重量物移動用具の実施方法を示した平面図である。（実施例１）
【図２】軽重量物移動用具の実施方法を示した正面図である。（実施例１）
【図３】軽重量物移動用具の実施方法を示した平面図である。（実施例２）
【図４】軽重量物移動用具の実施方法を示した平面図である。（実施例３）
【図５】軽重量物移動用具の梃子座の実施方法を示したＡ−Ａ線断面図である。（実施例１，２，３共通）
【符号の説明】
【００２１】
１    爪
２    滑り止め
３    梃子座
４    取っ手
５ａ，５ｂ    取っ手の部材
６    補強板
７，９    取っ手の止めねじ
８    握り手
１０ａ，１０ｂ    取付け枠
１１    取っ手
１２ａ，１２ｂ    爪根元部
１３    爪先
１４    取っ手部材と補強版の止めボルト
１５    ローラ（回動横軸と縦軸を有し進行方向にローラの向きを自在に変えることができる。）  
【図１】
0003122959.tif 000003
【図２】
0003122959.tif 000004
【図３】
0003122959.tif 000005
【図４】
0003122959.tif 000006
【図５】
0003122959.tif 000007